(57)【要約】従来のダイレクトプレス法では、小型の精密ガラス部品の製造に際しては、溶融ガラスゴブの重量を一定に制御することが困難であり、ガラスゴブの重量のバラツキが大きくなってしまうことから、安定した精密成形ができないという問題があった。解決手段として、凹面部の外縁部にガラス製光学部品を成形するための成形金型の下型が設けられた胴型と、胴型の凹面部に組み合わされる凸面部を有する矢型と、前記矢型の外周部に配置され、前記ガラス製光学部品を成形するための成形金型の上型が設けられたリング型とから構成され、前記胴型の凹面部内に投入された溶融ガラスゴブが、前記矢型により上方からプレスされることにより、前記溶融ガラスゴブが、前記成形金型の下型と上型の間に形成される空間に注入されるようになっていることを特徴とするガラス製光学部品の成形用金型及びその成形用金型を用いたガラス製光学部品の製造方法を提供する。
2019202816.tif 000002
【特許請求の範囲】
【請求項１】
精密かつ複雑な立体形状を有するガラス製光学部品を成形するための金型であって、凹面部の外縁部に前記ガラス製光学部品を成形するための、少なくとも一対の成形金型の下型が設けられた胴型と、前記胴型の凹面部に組み合わされる凸面部を有する矢型と、前記矢型の外周部に配置され、前記ガラス製光学部品を成形するための、少なくとも一対の成形金型の上型が設けられたリング型とから構成され、前記胴型の凹面部内に投入された溶融ガラスゴブが、前記凸面部を有する矢型により上方からプレスされることにより、前記溶融ガラスゴブが、前記少なくとも一対の成形金型の下型と上型の間に形成される空間に注入されるようになっていることを特徴とするガラス製光学部品の成形用金型。
【請求項２】
前記ガラス製光学部品を成形するための前記成形金型の下型が、前記胴型の凹面部の外縁部に、凹面部の中心軸を中心に同心円状に複数個設けられており、かつ前記成形金型の上型が、前記同心円状に複数個設けられた下型の位置に合わせて、前記リング型に同心円状に同じく複数個設けられていて、一度のプレスにより、複数個の前記ガラス製光学部品を成形できるようになっていることを特徴とする請求項１に記載のガラス製光学部品の成形用金型。
【請求項３】
前記ガラス製光学部品を成形するための成形金型の下型は、胴型にはめ込まれることにより胴型と一体化でき、また前記成形金型の上型は、リング型にはめ込まれることによりリング型と一体化でき、かつ成形金型の下型は、胴型から取り外し可能な構造であり、また前記成形金型の上型は、リング型から取り外し可能な構造であり、前記ガラス製光学部品の形状に合わせて前記成形金型の下型及び前記成形金型の上型を交換できるようになっていることを特徴とする請求項１乃至２に記載のガラス製光学部品の成形用金型。
【請求項４】
前記プレスの際に、前記ガラス製光学部品を成形するための前記成形金型の下型と上型の間の空間が、前記ガラス製光学部品となる形状に対応した空間に加え、該空間の外側に、前記溶融ガラスゴブが流入できる付加的空間を有していることを特徴とする請求項１乃至３に記載のガラス製光学部品の成形用金型。
【請求項５】
前記プレスの際に、前記胴型と前記リング型とを密着し保持させる金型ロック機構を備えていることを特徴とする請求項１乃至４に記載のガラス製光学部品の成形用金型。
【請求項６】
前記ガラス製光学部品を成形するための前記成形金型の下型もしくは上型の少なくとも一方に、前記プレスの際に、前記ガラス製光学部品となる形状に対応した空間から、前記溶融ガラスゴブによって押し出される空気を抜くための穿孔が設けられていることを特徴とする請求項１乃至５に記載のガラス製光学部品の成形用金型。
【請求項７】
前記穿孔の内径が０．１ｍｍ以上０．５ｍｍ以下であることを特徴とする請求項６に記載のガラス製光学部品の成形用金型。
【請求項８】
請求項１乃至７のいずれか一項に記載のガラス製光学部品の成形用金型を用いた、精密でかつ複雑な立体形状を有するガラス製光学部品の成形方法であり、
（１）外縁部にガラス製光学部品を成形するための成形金型の下型が設けられた胴型の凹面部中央部に、溶融ガラスゴブを投入する工程と、
（２）前記リング型を下げて前記胴型に密着させ、該リング型下面部に設けられた前記成形金型の上型と該胴型の外縁部に設けられた該成形金型の下型を密着させ、該成形金型間に前記ガラス製光学部品の形状に対応した空間を形成する工程と、
（３）前記胴型の凹面部中央部に投入された前記溶融ガラスのゴブを、凸面部を有する前記矢型で上方からプレスする工程と、
（４）前記矢型によるプレスを継続して、前記溶融ガラスゴブを、前記胴型の凹面部の内面に沿って這い上がるように流動させ、前記成形金型間に形成された空間内に、溶融ガラス流入口を通して、溶融ガラスゴブを注入する工程と、
（５）前記成形金型に注入された溶融ガラスゴブ温度が、このガラスの徐冷点以下の温度となって固化した後、前記矢型とリング型を順に上方に引き上げる工程と、
（６）前記胴型、矢型、リング型及び成形金型の間に形成された固化ガラス成形体を取り出し、前記成形金型間に形成されたガラス製光学部品を切断する工程
とからなることを特徴とする精密かつ複雑な立体形状を有するガラス製光学部品の製造方法。
【請求項９】
前記成形金型間に形成されるガラス製光学部品の重量に対して、前記胴型の凹面部に投入される溶融ガラスゴブの重量が６倍以上７０倍以下であることを特徴とする請求項８に記載の精密かつ複雑な立体形状を有するガラス製光学部品の製造方法。
【請求項１０】
前記成形金型間に形成されるガラス製光学部品の重量に対して、前記胴型の凹面部に投入される溶融ガラスゴブの重量が８倍以上７０倍以下であることを特徴とする請求項８に記載の精密かつ複雑な立体形状を有するガラス製光学部品の製造方法。
【発明の詳細な説明】
【技術分野】
【０００１】
本発明は、立体形状を有するガラス製光学部品、具体的にはガラス製の両面非球面レンズ、異形レンズなどの精密でかつ複雑な立体形状を有する光学部品などに利用されるガラス製光学部品の成形用金型並びにその成形用金型を用いるガラス製光学部品の製造方法に関する。
【背景技術】
【０００２】
近年の各種光源のLED化やLD化に伴ってレンズ形状品や光学部品の高精度化・複雑形状化が進んでいるが、これらに対応したガラスの成形用金型及びその金型を用いた大量生産あるいは少量多品種生産に適したガラスの成形方法が求められている。【０００３】
従来、光学部品等の小さな立体形状を有するガラス成形品の成形方法としては、主にダイレクトプレス法、モールドプレス法、リヒートプレス法、射出成形法が試されてきた。【０００４】
ダイレクトプレス法とは、溶融されたガラスゴブを金型内に投入し、プレス機にてプレス成形を行う最も典型的なプレス技術である。胴型、矢型及びリング型の間でガラスゴブを直接金型の形状に成形することから、ダイレクトプレス法と呼ばれる。大量生産方式としては、溶融炉から流出する溶融ガラス流から、製品重量に合わせてほぼ一定重量となるようシェアカット（刃で切断）された溶融ガラスゴブ（溶融したガラスの一塊）を、胴型（一対の金型のうち、下方にある凹面状の型）内に投入し、矢型（一対の金型のうち、上方にある凸面状の型）でプレスして、金型の形状に成形を行うことが一般的である。【０００５】
矢型の外周部にはリング型が配置される。リング型は、矢型が下降してガラスゴブをプレスする際に、矢型よりも少し早めに下降して胴型に嵌合し、矢型をガイドしながら、プレスされるガラス製品の縁を形成する役割を担っている。【０００６】
従来のダイレクトプレス技術には次のような欠点があった。
（１）小型の精密ガラス部品の製造に際しては、溶融ガラスゴブの重量を一定に制御することが困難であり、ガラスゴブの重量のバラツキが大きくなってしまうことから、安定した精密成形ができないという問題があった。即ち、ガラスゴブの重量変動を、そのまま製品の肉厚等の変動で吸収せざるを得ない成形方法であるため、形状精度の高い製品の成型は困難となるのである。
（２）小型で薄肉のガラス製光学部品を得ようとすると、プレスの際に溶融ガラスゴブが狭い金型の隙間を延びていく間に、金型によって急速に熱を奪われ、溶融ガラスゴブが薄く延びきらないうちにガラスが固化してしまうという問題があった。さらに小さいサイズのガラス製光学部品の場合には、もともとの溶融ガラスゴブ自体の保有熱量も少ないため、プレスの際に溶融ガラスゴブがすぐに冷えてしまうことになり、プレス成形中にガラスにヒビが入ったり破損してしまったりして、薄肉部分や細い部分を有する複雑な形状のガラス製光学部品を成形することは極めて困難であった。
（３）1,000℃前後の温度の溶融ガラスゴブを500℃前後の温度にある金型で成形するため、ガラスと金型との融着は防止されるものの、金型に接した溶融ガラスゴブの表面付近は急激に冷却されて固化する一方、ガラス内部は遅れて収縮・固化するために「ヒケ」と呼ばれる体積収縮に起因する一種の成形不良（形状及び寸法の不良）が発生し、高い形状精度が得られなかった。【０００７】
以上に述べたように、ダイレクトプレス法は大量生産には適しているものの、高い形状精度が得られず、また小さな複雑な形状品の成形にも適さないのである。【０００８】
特許文献１には、２分割された一対の胴型の間で、溶融ガラス流出オリフィスから流出してくる溶融ガラスを挟むことによりガラスの成形を行う方法、また成形の際に胴型から押し出されるガラスを逃がす空間を設けたことを特徴とするガラス成形型が開示されている。しかしながら、通常のダイレクトプレス法と同じ理由により、形状精度の高い複雑な立体形状品を成形するには適さないと考えられる。【０００９】
特許文献２には、非球面レンズの成形技術であって、溶融ガラスを成形金型でプレス成形して、底面に所定レンズ形状が形成されたカップ形状の成形品を形成し、さらにカップ形状成形品の底面の所定レンズ形状部分を再プレスし、続いてカップ形状成形品のまま底面の所定レンズ形状部分の加熱除歪を行った後に、所定レンズ形状部分から非球面レンズを切り取るようにしたことを特徴とする成形方法が開示されている。この方法も基本的には一次のプレス成形で形状がほぼ決まってしまう（この場合、再プレスは形状の微調整である）。【００１０】
一方、モールドプレス法と呼ばれる高精度プレス技術が従来から知られている。モールドプレス法は、精密成形金型で、主に高精度な非球面ガラスレンズを製造する技術として開発されたものであるが、この成形技術は基本的に下記のプロセスからなり、ガラスに「ヒケ」を生じさせずに高精度の金型形状・面精度をガラスに転写させることに特徴がある。
（ａ）ガラスプリフォーム（最終製品に近似した形状・容積のガラス成形品）を準備する。
（ｂ）ガラスと融着が生じない特殊な型材料を高精度に鏡面加工及び表面処理をする。
（ｃ）非酸化性雰囲気中でガラスプリフォームと型とをガラスの軟化点近傍まで昇温させ、ガラスと型とをほぼ等しい温度にして、型によりガラスをプレスし、十分な時間にわたって加圧を維持しながら型温度をガラス転移点以下（ガラスが構造的に安定する温度以下）になるまで降温する。【００１１】
しかし、このモールドプレス技術には下記の欠点があった。
（１）ガラスの軟化点近傍での加熱・加圧処理であるため、基本的にガラスプリフォームに近似した形状のものしか成形できず、製品の形状及びサイズに限界がある。
（２）非酸化性雰囲気中での加熱、冷却に長時間を要するため生産性が悪く、大量生産には不利である。
（３）特殊な型材料を必要とする。これは型材とガラスとが長時間にわたって接触することから、両者が反応して融着等を起こさないようにするためであり、上記の非酸化性雰囲気を利用するのも同じ理由によるものである。【００１２】
このように、モールドプレス法は、ダイレクトプレス法とは逆に、非球面ガラスレンズなどの小さな高精度形状品の成形には適しているものの、ガラスプリフォーム形状から大きく逸脱した複雑な形状品の成形には適さないのである。【００１３】
特許文献３には、ガラス素材を高精度の光学レンズ等の成形品に加工する成形方法であって、成形型の温度を被成形ガラスの転移点以上、軟化点以下で一定に保ち、この型内に流動性を有するガラス素材を搬入して、これを加圧成形し、そして、この状態を成形されたガラスの温度分布が均一化されるまで、例えば、２０秒以上保持することによって、ヒケの発生を除去し、公差３／１００ｍｍ以下という極めて寸法精度の高いレンズ等の光学部品を得る方法が開示されている。【００１４】
また、特許文献４には、ガラス転移温度付近の一定温度に保持された成形型内に、加熱軟化したガラス素材を搬入して短時間加圧成形した後、型圧を徐々に減圧し、または型の温度を徐々に低下し、あるいは型圧と型温度とを徐々に下げながら成形を行うガラス光学部品の高精密成形方法が開示されている。【００１５】
しかしながら、これらモールドプレス法においても、プレス温度がガラスの軟化点近傍かそれ以下であるためにガラスの流動性が十分でなく、複雑な形状品の成形が困難であること、また、プレス時間がダイレクトプレス法より長時間に及ぶことにより大量生産には基本的に適さないなどの欠点があった（非特許文献１）。【００１６】
リヒートプレス法は、一旦板状や棒状に成形されたガラス品を再度加熱したのち、再度プレス成形を行う方法である。粗形状品の形状の微調整や精度の向上を主目的とするものであるので、複雑な立体形状品を高精度で成形するには適さない成形方法である。【００１７】
特許文献５には、ガラス基板の成形精度を向上させることを目的として、溶融ガラスを所定形状に固化成形するダイレクトプレス工程と、それによって得られたガラス基板を加熱条件下で再プレスして形状の微調整もしくは変形を行うリヒートプレス工程とからなる高精度ガラス基板の作製方法が開示されている。【００１８】
また、特許文献６には、溶融ガラスを粗プレス成形してＶ溝基板を得たのち、次いで得られたＶ溝基板を再加熱して該Ｖ溝基板が軟化する温度まで昇温し、精密に形状の微調整を行うリヒートプレス成形によるＶ溝基板の製造方法が開示されている。【００１９】
これら技術についても、形状精度の高い複雑な立体形状品を成形するには適さないと考えられる。【００２０】
射出成形法は、主として樹脂の成形に用いられる成形法であり、溶融温度が高く、かつ温度によって急激に粘性が変化にするガラスには基本的には適さない成形方法である。ガラスは粘性が高く、高温にしないと射出成形に適した粘性にまで下がらず、十分な流動性が得られないからである。【００２１】
特許文献７には、自己消耗型プランジャを加圧し前進させることによって、溶融状態の成形材料を温度制御された加熱シリンダの先端に配設された射出ノズルから射出させ、成形型内に充填する技術が開示されている。ガラス製の自己消耗型プランジャを別工程で作製しなければならない点、自己消耗型プランジャの温度コントロールが煩雑な点、そのため量産性に劣る点等において問題があり、また複雑な立体形状品を成形するには適さないと考えられる。【００２２】
特許文献８には、５００℃以下の融点を持つ低融点ガラスを原料として、プラスチックと同様に射出成形機によってガラス成形品を得る技術が開示されている。ガラス原料を事前に溶解させることなく、小片の低融点ガラス成形材料を射出成形機のホッパから供給し、直接射出成形機のシリンダバレル内で加熱するとともにスクリューの回転によって溶融させ、シリンダバレル先端のノズルから金型のキャビティ内に射出し、冷却固化させて成形品とする技術である。しかしながら、特殊な低融点ガラスを対象としており、ソーダ石灰ガラスやホウケイ酸ガラスなどの融点が高く粘性も高い一般的なガラスの成形には適していない。【００２３】
特許文献９には、溶融ガラスを成形型に供給して射出成形を行った後に、ガラスの屈服点近傍の粘度状態に保つように温度調整されたプレスステージに移行して、温度低下に伴う熱収縮による成形型内でのヒケの発生を防止するために、さらにプレスすることによって形状の修正を行う技術が開示されている。【００２４】
このような技術でも、粘性が高くかつ温度による粘性の変化が大きいガラスでは、射出成形による一工程での成形（いわゆる一発成形）は困難であり、形状精度の高い複雑な立体形状品を成形するには適さないと考えられる。【００２５】
特許文献１０は、モールドプレス法と射出成形法を掛け合わせたようなガラスの成形方法を開示している。トランスファ室で７００〜８００℃に加熱して軟化させたガラスをプレスして、トランスファ室の周囲に配置された製品用の金型（モールド）内に、湯道を通して押し出して充填することを特徴とする成形方法である。すべての金型はガラス状炭素で形成されている。本成形方法は基本的にはモールドプレス法の影響を大きく受けるものであり、プレス温度がガラスの軟化点近傍かそれ以下であるためにガラスの流動性が十分でなく複雑な形状品の成形が困難であること、プレスが長時間に及ぶことにより大量生産には基本的に適さないこと、並びに特殊な金型材料が必要なことなどの欠点がある。【００２６】
特許文献１１は、特許文献１０の欠点を解決するために考案されたガラスの成形方法を開示しており、射出成形法の一種と言えるものである。本成形方法は、基本的には特許文献１０に開示されているトランスファ室をガラス溶融炉に置き換えたものであり、トランスファ室内でガラス塊を軟化点付近に加熱してその軟化したガラスをモールドプレス法によって押し出していた工程を、ガラス溶融炉から直接低粘性の溶融ガラスを流出させて型内に充填させかつその後さらに型内でプレス成形を行う工程に置き換えている。特許文献１０に開示されている技術に比べて、全工程を通してガラスの温度を高く維持できているためガラスの流動性に関しては改善されていると考えられる。しかし、成形装置及び金型の上部にガラス溶融炉を配置しなければならず、設備的及び操作・作業上の問題があると考えられる。【００２７】
特許文献１２は、樹脂製の光学素子の成形方法に関する技術である。樹脂の溶融温度は２００〜３００℃であって、低温で十分な流動性が得られるが、本技術を溶融温度が高く、粘性も高く（すなわち、流動性が悪い）、かつ温度変化による粘性の変化が大きいガラスに直接適用するのは困難である。
【先行技術文献】
【特許文献】
【００２８】
【特許文献１】特開昭６２−２１６９２８号公報
【特許文献２】特開平０９−２３５１２６号公報
【特許文献３】特開昭４７−２７２１６号公報
【特許文献４】特開昭６１−２５１５２９号公報
【特許文献５】特開平１１−１８９４２３号公報
【特許文献６】特開２０００−２７５４７９号公報
【特許文献７】特開平０５−２５４８５８号公報
【特許文献８】特開平０６−２７９０４０号公報
【特許文献９】特開平１０−１０１３４７号公報
【特許文献１０】特開昭４９−８１４１９号公報
【特許文献１１】特開平０２−１９６０３８号公報
【特許文献１２】特開２００８−２５７２６１号公報
【非特許文献】
【００２９】
【非特許文献１】New Glass 72, Vol. 19, No.1, p.65（2004）
【発明の概要】
【発明が解決しようとする課題】
【００３０】
従来のダイレクトプレス法では、小型の精密ガラス部品の製造に際しては、溶融ガラスゴブの重量を一定に制御することが困難であり、ガラスゴブの重量のバラツキが大きくなってしまうことから、安定した精密成形ができないという問題があった。【００３１】
従来のモールドプレス法は、ダイレクトプレス法とは逆に、非球面ガラスレンズなどの小さな高精度形状品の成形には適しているものの、ガラスプリフォーム形状から大きく逸脱した複雑な形状品の成形には適さないのである。【００３２】
リヒートプレス法は、既に粗成形された板状や棒状のガラスプリフォームの表面を微調整したり、精度の向上を主目的とするものであって、やはり形状精度の高い複雑な立体形状品を成形するには適さない。【００３３】
射出成形法は、樹脂材料の立体成型に適した方法であって、広く普及しているが、粘性が高くかつ温度による粘性の変化が大きいガラスでは、射出成形による一工程での成形は困難であり、形状精度の高い複雑な立体形状品を成形するには適さない。
【課題を解決するための手段】
【００３４】
本出願に係る発明の目的は、精密でかつ複雑な立体形状を有するガラス製光学部品を成形することができる新規なガラスの成形用金型及びその金型を用いた大量生産あるいは少量多品種生産に適したガラスの成形方法を提供することにある。【００３５】
前記従来の課題を解決するため本願の第一の発明は、精密かつ複雑な立体形状を有するガラス製光学部品を成形するための金型であって、凹面部の外縁部に前記ガラス製光学部品を成形するための、少なくとも一対の成形金型の下型が設けられた胴型と、前記胴型の凹面部に組み合わされる凸面部を有する矢型と、前記矢型の外周部に配置され、前記ガラス製光学部品を成形するための、少なくとも一対の成形金型の上型が設けられたリング型とから構成され、前記胴型の凹面部内に投入された溶融ガラスゴブが、前記凸面部を有する矢型により上方からプレスされることにより、前記溶融ガラスゴブが、前記少なくとも一対の成形金型の下型と上型の間に形成される空間に注入されるようになっていることを特徴とするガラス製光学部品の成形用金型を開示する。【００３６】
ここで、精密かつ複雑な立体形状を有するガラス製光学部品とは、両面非球面レンズ、異形レンズ、複雑な立体形状を有する光学部品などのことであって、本発明によれば、例えばほとんど平坦な面を持たず、両面にグリッド状の溝が形成されているなど、単純な凹レンズや凸レンズを成形するよりもはるかに困難度の高いガラス製光学部品を成形できる金型を提供できる。【００３７】
本発明の成形用金型は、胴型、矢型、リング型及び成形金型の４つの型から構成される。胴型の主要部は凹面部であるが、胴型の周縁部には成形金型の下型が設けられ、リング型の下面側には、成形金型の上型が設けられている。従来のダイレクトプレス用金型は、胴型と矢型の間で、又は胴型と矢型とリング型の間で最終成形品をプレス成形するのに対して、本発明では、胴型と矢型によるプレスは、溶融ガラスゴブに流動を生じさせるものであって、これにより、胴型の周縁部と矢型の下面に設けられた成形金型によって形成される空間に溶融ガラスゴブを注入して、成形金型間で最終製品を得るという点で全く異なる。【００３８】
本発明の成形用金型の構成と機能を、図１を用いて説明する。本発明のガラス製光学部品成形用金型１は、胴型２、成形金型４、リング型５及び矢型６から構成される。胴型２の凹面部３には、ガラス製光学部品の材料である溶融ガラスの一塊（溶融ガラスゴブ７）が投入される。一方、矢型６は凸面部を有し、前記溶融ガラスゴブ７を上方から加圧するためのものである。本発明は、上記したように、従来のダイレクトプレス法とは異なり、胴型２と矢型６の金型の形状をそのまま転写して成形品を得るものはなく、胴型２に投入された溶融ガラスゴブ７が矢型６によってプレスされた際に、胴型の凹面部３に沿ってせりあがって周縁部に到達し、溶融ガラス流入口８を通じて、周縁部に設けられた成形金型４の下型４ａとリング型５の下面に設けられた成形金型の上型４ｂの間の空間に、溶融ガラスが注入され満たされることによって、ガラス製光学部品１１が形成される。【００３９】
ここで、前記ガラス製光学部品１１を成形するための前記成形金型４の下型４ａが、図２（Ａ）に示したように、前記胴型２の凹面部の外縁部に、凹面部の中心軸を中心に同心円状に複数個設け、かつ前記成形金型４の上型４ｂが、前記同心円状に複数個設けられた下型４ａの位置に合わせて、前記リング型５に同じく同心円状に複数個設け、一度のプレスにより、複数個の前記ガラス製光学部品１１を成形できるようになっていることが望ましい。このようにすることにより、同一光学部品の生産性を向上できるし、場合によっては、異なる形状の成形金型４を設けることにより、一度のプレスで複数種の光学部品を成形することもできる。【００４０】
但し、複数の成形金型を、必ずしも同心円状に配置することに限られるものではなく、例えば、平面視略長方形状の胴型を用い、該胴型に平面視略長方形状の凹面部を設け、該凹面部の周囲に複数の成形金型を並列に配置してもよい（図２（Ｂ））。【００４１】
さらに、前記ガラス製光学部品１１を成形するための成形金型４の下型４ａは、胴型２にはめ込まれることにより胴型と一体化でき、また前記成形金型４の上型４ｂは、リング型５にはめ込まれることによりリング型と一体化でき、かつ成形金型の下型４ａは、胴型２から取り外し可能な構造であり、また前記成形金型の上型４ｂは、リング型５から取り外し可能な構造であり、前記ガラス製光学部品１１の形状に合わせて前記成形金型４の下型４ａ及び前記成形金型４の上型４ｂを交換できるようになっていることが望ましい。同一の胴型２、矢型６及びリング型５を用いながら、種々の光学部品を製造することが可能となるからである。成形金型の着脱機構の一例を図３に示す。この場合、成形金型は、ボルト締めによってリング型に固定されている。【００４２】
前記プレスの際に、前記ガラス製光学部品１１を成形するための前記成形金型４の下型４ａと上型４ｂの間に形成される空間９は、前記ガラス製光学部品１１となる形状に対応した空間であるが、それに加え、図４に示したように、該空間の外側に、前記溶融ガラスゴブが流入できる付加的空間１２を有していると、溶融ガラスゴブの該空間９への注入が確実になることから、望ましい。こうすることによって該空間９に空隙ができてガラス製光学部品の形状が不良になることを防止できるからである。【００４３】
また、前記プレスの際に、図５に示したように、前記胴型２と前記リング型５とを密着し保持させる金型ロック機構１３を備えていることが望ましい。こうすることにより、胴型とリング型の間に隙間ができることによるガラス製光学部品の寸法不良の発生を防止できるからである。図５において、金型ロック機構は、矢型６と同期して下降するロックバー１５と、胴型２に固定される回転フック１６およびリング型５に固定されるロックプレート１７とで構成される。矢型６と同期してロックバー１５が下降し、ロックバー先端が回転フック１６を押し回すことにより、回転フック１６とロックプレート１７がロックされる。これにより、胴型２及びリング型５も密着した状態でロックされる。【００４４】
さらに、図６に示したように、前記ガラス製光学部品１１を成形するための前記成形金型４の下型４ａ及び上型４ｂの少なくとも一方に、前記プレスの際に、前記ガラス製光学部品１１となる形状に対応した空間から、前記溶融ガラスゴブによって押し出される空気を抜くための穿孔１４が設けられているのが望ましい。溶融ガラスゴブが溶融ガラス流入口８を通じて該空間に注入される際に、該空間に存在していた空気が穿孔から抜けることにより、光学部品の寸法精度の向上が期待できるからである。この場合、前記穿孔の内径が０．１ｍｍ以上で０．５ｍｍ以下であることが望ましい。空気を抜くには十分な径であり、溶融ガラスが流入するには十分に小さいからである。【００４５】
前記従来の問題点を解決するために本願の第二の発明は、請求項１乃至７のいずれか一項に記載のガラス製光学部品の成形用金型を用いた、精密でかつ複雑な立体形状を有するガラス製光学部品の成形方法であり、
（１）外縁部にガラス製光学部品を成形するための成形金型の下型が設けられた胴型の凹面部中央部に、溶融ガラスゴブを投入する工程と、
（２）前記リング型を下げて前記胴型に密着させ、該リング型の下面部に設けられた前記成形金型の上型と該胴型の外縁部に設けられた該成形金型の下型を密着させ、該成形金型間に前記ガラス製光学部品の形状に対応した空間を形成する工程と、
（３）前記胴型の凹面部中央部に投入された前記溶融ガラスゴブを、凸面部を有する矢型で上方からプレスする工程と、
（４）前記矢型によるプレスを継続して、前記溶融ガラスゴブを、前記胴型の凹面部の内面に沿って這い上がるように流動させ、前記成形金型間に形成された空間内に、溶融ガラス流入口を通して、溶融ガラスゴブを注入する工程と、
（５）前記成形金型に注入された溶融ガラスゴブ温度が、このガラスの徐冷点以下となって固化した後、前記矢型とリング型を順に上方に引き上げる工程と、
（６）前記胴型、矢型、リング型及び成形金型の間に形成された固化ガラス成形体を取り出し、前記成形金型間に形成されたガラス製光学部品を切断する工程
とからなることを特徴とする精密かつ複雑な立体形状を有するガラス製光学部品の製造方法を開示する。【００４６】
既に詳述してきたように、本発明は、前記成形用金型を用いた精密でかつ複雑な立体形状を有するガラス製光学部品を製造するに際し、前記（１）から（６）の工程を順に行うが、プレス工程では、前記成形金型４に注入された溶融ガラスゴブの温度が、このガラスの徐冷点以下になるまで、継続する必要がある。徐冷点とは、ガラス転移点より約２０℃高い温度で、ガラスの内部歪が１５分間で実質的に除去される温度と定義されているが、この温度ではガラスはほぼ固化している。そして、本発明の製造方法では、成形金型間にあるガラスが固化するまでプレスを十分に行わないと、光学部品の寸法が不安定になってしまう。徐冷点以下の温度となって固化したかどうかは、プレス後の経過時間で経験的に把握できるが、厳密を要する場合は、リング型の成形金型近傍に熱電対を設置して温度を測定するのがよい。また、この方法によって一次的に得られるのは、胴型、矢型、リング型及び成形金型の間に形成されたガラス成形体であるので、この成形体から最終製品であるガラス製光学部品を切断する工程が必要となる。なお、要求に応じて、切断後に切断面や端面の研削加工及び研磨加工を行う場合もある。【００４７】
この製造方法においては、前記成形金型間に形成されるガラス成形体の重量に対して、前記胴型の凹面部３に投入される溶融ガラスゴブの重量が６倍以上、より望ましくは８倍以上で、７０倍以下であるのがよい。このような重量比にすることにより、溶融ガラスゴブの流動が十分に確保でき、溶融ガラス流入口８を通してガラス製光学部品を得る空間９（あるいは空間９とその外側に設けられた付加的空間１２を合わせた空間）への注入が確実に行える。６倍以下では、流動が十分に確保できず、ガラス製光学部品の成形が行えず、７０倍以上では、溶融ガラスゴブがリング型と矢型の間からからあふれ出してしまい、その結果プレス圧力が不足してしまう。
【発明の効果】
【００４８】
本発明の技術によれば、新規なガラスの成形用金型及びそれを用いたガラスの成形方法により、従来の金型や成形方法では得られなかった精密でかつ複雑な立体形状を有するガラス製光学部品を成形することができる。また、基本的な実施形態においてモールドプレス法のような特殊な型材料及び非酸化性雰囲気を必要としないばかりか、大量生産あるいは少量多品種生産をすることが可能であり、産業の発展に大きく貢献するものである。
【図面の簡単な説明】
【００４９】
【図１】本発明の成形用金型とガラス製光学部品の製造方法を示す模式図である。
【図２】同心円状に配置された成形金型の一例（Ａ）及び並列に配置された成形金型の一例（Ｂ）である。
【図３】成形金型着脱機構の一例である。
【図４】成形金型のガラス製光学部品用空間の外側に設けられた付加的空間の一例である。
【図５】胴型とリング型との金型ロック機構の一例である。
【図６】成形金型に設けられた穿孔の一例である。
【図７】本発明の成形用金型の設計図の一例である。
【図８】複数の自由曲面や平面を組み合わせた複雑形状のガラス製光学部品の一例である。
【図９】両面が凸形状のガラス製光学部品一例である。
【発明を実施するための形態】
【００５０】
本発明におけるガラス製光学部品１１の成形用金型１は、ステンレス鋼を設計図面通りに切削・研削することにより製作される。成形金型４については、必要に応じて、より耐久性の高い耐熱合金を用いてもよい。一実施態様の成形用金型の設計図（正面図および平面図）を図７に示したように、本発明のガラス製光学部品成形用金型は、胴型２、成形金型４、リング型５及び矢型６から構成される。胴型２には、ガラス製光学部品の材料からなる溶融ガラスの一塊（溶融ガラスゴブ７）が投入される凹面部３が形成されており、さらにその周縁部にはガラス製光学部品１１を成形するための成形金型４の下型４ａが設けられている。
【００５１】
一方、リング型５の下面側には、成形用金型４の上型４ｂが、胴型２の周縁部に設けられた下型４ａと相対するように設けられている。胴型２の凹面部３に溶融ガラスゴブ７が投入されると、まずはリング型５が降下して胴型２に密着し、胴型２の周縁部の成形金型４の下型４ａとリング型５の下面部の成形金型の上型４ｂとの間に挟まれた空間が形成される。リング型５の降下に続いて凸面部を有する矢型６が降下して、前記溶融ガラスゴブ７が上方から加圧される。溶融ガラスゴブは、十分な流動性を維持したまま、胴型２の凹面部３内面に沿ってせりあがって周縁部に到達し、溶融ガラス流入口８を通じて成形金型４の下型４ａと上型４ｂとの間に挟まれた空間内に注入されることによって、ガラス製光学部品１１が形成される。この際、胴型２とリング型５の密着を確実にするために、後述する金型ロック機構１３を用いるのがよい。
【００５２】
さらに本発明によるガラス製光学部品１１の成形用金型１は、図２から図６に示すような特徴を有している。それぞれの図を用いて特徴を説明する。
【００５３】
図２（Ａ）は、前記ガラス製光学部品１１を成形するための前記成形金型４の下型４ａが、前記胴型２の凹面部３の外縁部に、凹面部３の中心軸を中心に同心円状に４個設けられている胴型２の例を示したものである。これら４個の下型４ａの位置に合わせて、リング型５の下面側には成形用金型４の上型４ｂが同心円状に設けられており、一度のプレスによって同時に４個の前記ガラス製光学部品１１を成形できる金型構造としている。同様に成形金型４の数を６個、８個と増やすこともできる。同一光学部品の生産性の向上に貢献でき、場合によっては、異なる形状の成形金型４を設けることにより、一度のプレスで複数種の光学部品を成形することもできる。
【００５４】
図３は、リング型５の下面側に設けられた成形用金型４の上型４ｂを示したものであるが、上型４ｂは例えばボルト締めによってリング型５に固定されており着脱が可能である金型構造としている。同様に、胴型２においても成形金型４の下型４ａはボルト締めなどの任意の方法によって着脱が可能な金型構造となっており（図示せず）、同一の胴型２、矢型６及びリング型５を用いながら、前記成形金型４の下型４ａ及び前記成形金型４の上型４ｂを交換することによって種々の形状の光学部品を成形することを可能としている。これら特徴は、大量生産あるいは少量多品種生産に適していることを示すものである。
【００５５】
図４は、成形金型４の下型４ａと上型４ｂとの間に挟まれて形成された空間９、即ち前記ガラス製光学部品１１となる形状に対応した空間９と、その空間９の外側にさらに付加的空間１２を設けた金型構造を示している。付加的空間１２を設けない場合、光学部品の形状によっては、前記溶融ガラスゴブ７が前記ガラス製光学部品１１となる形状に対応した空間９の隅々にまで流入できずに空隙ができ不良品となる可能性があったが、前記付加的空間１２を設けることで少なくとも前記ガラス製光学部品１１となる形状に対応した空間９には前記溶融ガラスゴブ７を隅々にまで確実に流入・充填させることができるようになった。
【００５６】
図５は、前記胴型２と前記リング型５とを密着し保持させる金型ロック機構１３を設けた金型構造とすることを示している。溶融ガラスゴブが注入されることによって胴型２とリング型５の間が拡げられて隙間ができやすくなるが、金型ロック機構１３を設けることによって隙間を抑え、ガラス製光学部品１１の寸法不良の発生を防止することができる。
【００５７】
図６は、前記成形金型４の上型４ｂに、前記プレスの際に前記ガラス製光学部品１１となる形状に対応した空間９から、前記溶融ガラスゴブ７によって押し出される空気を抜くための穿孔１４を設けた金型の一例を示している。空間９に存在していた空気が穿孔１４から抜け出る金型構造とすることにより、形状不良品の発生防止や光学部品の寸法精度の向上が期待できる。図６では、前記穿孔１４の内径は０．３ｍｍとした。
【００５８】
次に、本発明によるガラス製光学部品の製造方法は、上述の各特徴を有するガラス製光学部品の成形用金型を用いた、精密でかつ複雑な立体形状を有するガラス製光学部品の製造方法である。図１（及び図４）を用いて説明すると、
（１）外縁部にガラス製光学部品１１を成形するための成形金型４の下型４ａが設けられた胴型２の凹面部３の中央部に、溶融ガラスゴブ７を投入し、
（２）リング型５を下げて胴型２に密着させ、該リング型下面部に設けられた成形金型４の上型４ａと、該胴型の外縁部に設けられた該成形金型４の下型４ｂを密着させ、該成形金型間にガラス製光学部品１１の形状に対応した空間９を形成し、
（３）胴型２の凹面部３の中央部に投入された溶融ガラスゴブ７を、凸面部を有する矢型６で上方からプレスし、
（４）前記矢型６によるプレスを継続して、溶融ガラスゴブ７を、胴型２の凹面部３の内面に沿って這い上がるように流動させ、成形金型間に形成された空間９（あるいは空間９とその９の外側に設けられた付加的空間１２を合わせた空間）内に、溶融ガラス流入口８を通して、溶融ガラスゴブ７を注入し、
（５）成形金型４に注入された溶融ガラスゴブ温度が、このガラスの徐冷点以下の温度となって固化した後、矢型６とリング型５を順に上方に引き上げ、
（６）胴型２、矢型６、リング型５及び成形金型４の間に形成された固化ガラス成形体１０を取り出し、成形金型間に形成されたガラス製光学部品１１を切断することにより、精密かつ複雑な立体形状を有するガラス製光学部品を製造することができる。
【００５９】
上記の工程の中で、プレス工程において、前記成形金型４に注入された溶融ガラスゴブ７の温度がこのガラスの徐冷点以下になるまで、プレスを継続することが重要である。ガラスが固化するまで、例えば１０秒〜３０秒程度の間、プレスを行ってガラスに圧力を加え続けることで、寸法精度の高い成形品が得られる。なお、この方法によって一次的に得られるのは、胴型２、矢型６、リング型５及び成形金型４の間に形成されたガラス成形体１０であるので、この成形体１０から最終製品であるガラス製光学部品１１を切断する工程が必要である。また、要求に応じて、切断後に切断面や端面の研削加工及び研磨加工を行う場合もある。
【００６０】
本発明によるガラス製光学部品の製造方法においては、前記成形金型４によって形成されるガラス成形体の重量に対して、前記胴型２の凹面部３に投入される溶融ガラスゴブ７の重量が６倍以上、より望ましくは８倍以上で、７０倍以下であるのがよい。このような重量比にすることにより、溶融ガラスゴブ７の流動が十分に確保でき、溶融ガラス流入口８を通してガラス製光学部品１１を得る空間９（あるいは空間９とその９の外側に設けられた付加的空間１２を合わせた空間）への注入が確実に行える。６倍以下では、流動が十分に確保できず、ガラス製光学部品の成形が行えず、７０倍以上では、溶融ガラスゴブがリング型と矢型の間からからあふれ出してしまい、その結果プレス圧力が不足してしまう。
【００６１】
本発明によるガラス製光学部品の成形用金型及び製造方法は、胴型２と矢型６によるプレスによって溶融ガラスゴブ７を流動させて、胴型２の周縁部とリング型５の下面に設けられた成形金型４によって形成される空間９に注入して最終製品１１を得る。その点で、単純に胴型と矢型とで最終成形品を直接プレス成形する従来のダイレクトプレス用金型及び製造方法とは全く異なるが、胴型２と矢型６とで溶融ガラスゴブ７をプレスするという点では、ダイレクトプレス法のプレス工程のサイクルタイムが短いという利点を受け継いでおり、精密でかつ複雑な立体形状を有するガラス製光学部品を大量生産するのに適した製造方法ということができる。
【実施例】
【００６２】
上述した本発明の成形用金型を用いて、上述した本発明の成形方法を用いて、精密立体形状のガラス製光学部品を成形した。それら実施例をまとめて表１に示す。ガラスとしては、熱膨張係数が約５５ｘ１０−７／℃の、一般的な組成のホウ珪酸ガラスを用いた。胴型に投入される際の溶融ガラスゴブの状態での温度は約１，０００℃であった。なお、このガラスの徐冷点は約５００℃である。【００６３】
【表１】
2019202816.tif 000003
【００６４】
グループ１は、図７に設計図を示した成形用金型を用いた成形結果である。成形金型が1個だけ設けられていて、図８に示したような複数の自由曲面や平面を組み合わせた複雑形状のガラス製光学部品を成形した例である。成形されるガラス製光学部品の重量Ｗ１は約１５ｇである。既に述べたように、ガラス製光学部品は、胴型、矢型、リング型及び成形金型の間で成形されたガラスをこれらの型から離型し、取り出した成形されたガラスから、最終製品となるガラス製光学部品の部分を切り出すことによって得られる。グループ１の一連の試験では、胴型の凹面部に投入する溶融ガラスゴブの重量Ｗ２を変えて成形性や出来上がったガラス製光学部品の外観を評価した。溶融ガラスゴブに対する矢型によるプレス圧力は約３．１ＭＰａで、プレス時間は溶融ガラスゴブの重量に応じて約２３〜２７秒プレスした。【００６５】
溶融ガラスゴブの重量が１００ｇ（Ｗ２／Ｗ１は約７）の場合は、溶融ガラスゴブは溶融ガラス流入口８には到達するものの、成形金型には十分に満たされず、ガラス製光学部品を得ることができなかった。これは、溶融ガラスゴブの重量及び熱容量が小さいために、プレス中に急激に熱量を奪われ、流動性を失くし、固化するためと考えられる。逆に、溶融ガラスゴブの重量を１，１００ｇ（Ｗ２／Ｗ１は約７３）まで増やすと、投入後に矢型でプレスした際、ガラス成形体１０を形成するための胴型２、リング型５、矢型６及び成形金型４で作られる空間の容積に対し、溶融ガラスゴブの容積が大きすぎて、リング型５と矢型６の隙間に溶融ガラスゴブ７が入り込み、矢型６の下降を妨げることとなって、プレスを継続することができなかった。この場合には、矢型６が所定の位置まで下降しきれないため、ガラス成形体１０の肉厚のバランスがくずれ、成形用金型との離型性にも問題が生じた結果、ガラス製光学部品１１を含めたガラス成形体１０には欠けが生じていた。そして、溶融ガラスゴブの重量が２００ｇから９００ｇまでの５つの例では、成形性に問題がなく、得られたガラス製光学部品の外観も良好であった。なお、ここで、溶融ガラスゴブは、溶融ガラスのフィーダー炉において、所定の重量になるよう制御されている。そして、投入された溶融ガラスゴブの重量は、プレス後に固化したガラス成形体１０を秤で測定して求めた。以降の実施例においても同様である。【００６６】
グループ２は、グループ１と同じ複数の自由曲面や平面を組み合わせた複雑形状のガラス製光学部品を成形した結果であるが、グループ２では、図２（Ａ）に示したような胴型を利用した成形用金型を用いて、一度のプレスで４個のガラス製光学部品を製造した。この場合、４個のガラス製光学部品の総重量は４ｘ１５ｇ＝６０ｇとなる。溶融ガラスゴブの重量を１００ｇから１，１００ｇまで６つの水準で試験を行った結果を表１に示した。溶融ガラスゴブが１００ｇ（Ｗ２／Ｗ１は約２）では、溶融ガラスは溶融ガラス流入口にすら到達せず、ガラス製光学部品を成形することは不可能であった。これは、やはり、溶融ガラスゴブの重量及び熱容量が小さいために、プレス中に急激に熱量を奪われ、流動性を失くし、溶融ガラス流入口に到達する前に固化するためと考えられる。溶融ガラスゴブを３００ｇ（Ｗ２／Ｗ１＝５）とした場合は、溶融ガラスは溶融ガラス流入口を通過してガラス製光学部品を成形する空間には注入されるが、その量が十分ではなく、ガラス製光学部品の成形は不完全なものであった。溶融ガラスゴブが５００ｇ以上（Ｗ２／Ｗ１は約８以上）の場合は、十分な量の溶融ガラスが胴型の凹面部をせりあがって溶融ガラス流入口に到達し、ガラス製光学部品を成形する空間に注入され、その空間を満たして、成形性が良好であった。その結果、ガラス製光学部品の外観も設計通りのものが得られた。グループ２では、溶融ガラスゴブの重量が１，１００ｇであっても、グループ１と比較して４倍量の溶融ガラスが溶融ガラス流入口を通して成形金型に注入されることから、矢型によるプレスは問題なく行うことができた。【００６７】
グループ３は、図９に示したような両面が凸形状のガラス製光学部品（１個当たりの重量が１５ｇ）を成形した例であって、成形金型は胴型及びリング型に、同心円状に８個設けて、１度のプレスで８個の光学部品を製造した結果である。この場合、８個のガラス製光学部品の総重量は８ｘ１５ｇ＝１２０ｇとなる。溶融ガラスゴブの重量を１００ｇから１，１００ｇまで６つの水準で試験を行った結果を表１に示した。溶融ガラスゴブが１００ｇ（Ｗ２／Ｗ１は約１）では、溶融ガラスは溶融ガラス流入口にすら到達せず、ガラス製光学部品を成形することは不可能であった。溶融ガラスゴブが３００ｇ（Ｗ２／Ｗ１は約３）及び５００ｇ（Ｗ２／Ｗ１は約４）とした場合は、溶融ガラスは溶融ガラス流入口を通過してガラス製光学部品を成形する空間には注入されるが、その量は十分ではなく、ガラス製光学部品の成形は不完全なものであった。溶融ガラスゴブが７００ｇ以上（Ｗ２／Ｗ１は約６以上）の場合は、十分な量の溶融ガラスが胴型の凹面部をせりあがって溶融ガラス流入口に到達し、ガラス製光学部品を成形する空間に注入され、その空間を満たして、成形性が良好であった。その結果、得られたガラス製光学部品の外観も設計通りのものが得られた。グループ３でも、溶融ガラスゴブの重量が１，１００ｇであっても、グループ１と比較して８倍量の溶融ガラスが溶融ガラス流入口を通して成形金型に注入されることから、矢型によるプレスは問題なく行うことができた。【００６８】
これらの試験において、成形金型としては、ガラス製光学部品となる空間に加えて、図４に示したように、その外側に付加的な空間を設けたものも使用したが、このようにした方がガラス製光学部品の形状精度に優れることがわかった。【００６９】
また、図６示したように成形金型に約０．３ｍｍの空気抜き用の穿孔を設けた場合、さらに成形精度が向上することがわかった。【００７０】
以上の結果から本発明の成形用金型を用いた本発明のガラス製光学部品の製造方法においては、溶融ガラスゴブが十分な温度と流動性を有している間に、矢型によってプレスすることにより、溶融ガラスが胴型の凹面部をせりあがって溶融ガラス流入口に到達し、依然として適度な温度と流動性を維持しながら溶融ガラス流入口を通過して成形金型間に注入され、そこで熱量を奪われることによって固化し、目的の形状を有するガラス製光学部品が得られるという過程を経るものと考えられる。成形金型間のガラス製光学部品の固化に続いて、胴型の凹面部にあるプレスされた溶融ガラスゴブが固化して、成形性及びガラス製光学部品の形状精度及び離型性のいずれもが適切な状態になるものと考えられる。そのためには、表１に記載の通り、製品重量に対する投入ガラスゴブの重量とプレス圧力及びプレス時間を適切に調整する必要がある。【００７１】
実施形態及び実施例に従って本発明を詳しく説明してきたが、本願発明は、その実施形態及び実施例の内容に限定されるものではなく、その他の様々な形態で実施することができる。
【符号の説明】
【００７２】
１・・・・・本発明のガラス製光学部品成形用金型の一例である。
２・・・・・胴型
３・・・・・胴型の凹面部
４・・・・・成形金型
４ａ・・・・成形金型の下型
４ｂ・・・・成形金型の上型
５・・・・・リング型
６・・・・・矢型
７・・・・・溶融ガラスゴブ
８・・・・・溶融ガラス流入口
９・・・・・成形金型間に形成される空間
１０・・・・ガラス成形体
１１・・・・ガラス製光学部品
１２・・・・９の外側に設けられる付加的空間
１３・・・・金型ロック機構
１４・・・・穿孔
１５・・・・ロックバー
１６・・・・回転フック
１７・・・・ロックプレート
１８・・・・成形金型固定用ボルト
【図１】
2019202816.tif 000004
【図２】
2019202816.tif 000005
【図３】
2019202816.tif 000006
【図４】
2019202816.tif 000007
【図５】
2019202816.tif 000008
【図６】
2019202816.tif 000009
【図７】
2019202816.tif 000010
【図８】
2019202816.tif 000011
【図９】
2019202816.tif 000012
【国際調査報告】
2019202816.tif 000013
2019202816.tif 000014